(57)【要約】【課題】  二次摩擦を受けず、且つ時計のムーブメントを、特に主ゼンマイを保護する巻上げクラウンを提供すること。【解決手段】  底部（４２）と、少なくとも１つの弾性的に変形可能な要素を収容する内部容積の境界を定めるスカート（４４）とを含む時計用の巻上げクラウン（４０）であって、このクラウン（４０）は、弾性的に変形可能な要素（５０）とクラウン（４０）の底部（４２）との間に停止部材が挿入されて、弾性的に変形可能な要素（５０）と底部（４２）との間のいかなる表面接触も防止することを特徴とする。【選択図】      図２
2011197003.tif 000002
【特許請求の範囲】
【請求項１】
底部（４２）と、少なくとも１つの弾性的に変形可能な要素を収容する内部容積の境界を定めるスカート（４４）とを含む時計用の巻上げクラウン（４０）であって、
弾性的に変形可能な要素（５０）と前記クラウン（４０）の前記底部（４２）との間に停止部材が挿入されて、該弾性的に変形可能な要素（５０）と前記底部（４２）との間の表面接触を防止したことを特徴とするクラウン。
【請求項２】
前記クラウン（４０）と一体化され且つ前記弾性的に変形可能な要素（５０）と協働する剛性駆動リング（６０）を含む分離機構（４６）が設けられ、前記弾性的に変形可能な要素（５０）は、その第１の端部が時計のムーブメントの中心方向を指し、巻真を受けるように意図されたパイプ（６２）と一体化されており、前記剛性リング（６０）は、前記弾性要素（５０）が変形して前記剛性リングとの駆動接続を中断する閾値を前記弾性要素（５０）によりもたらされる抵抗トルクが超えるまで、少なくとも１つの回転方向で前記弾性的に変形可能な要素（５０）を駆動し、このために前記弾性的に変形可能な要素（５０）は前記剛性駆動リングに一時的に結合する手段を有する、
ことを特徴とする請求項１に記載のクラウン。
【請求項３】
前記停止部材は、前記クラウン（４０）の底部（４２）に形成された凹部（９０）内に部分的に収容され且つ前記弾性要素（５０）と前記クラウン（４０）の底部（４２）との間の空間を定める高さだけ前記凹部（９０）から突出するヘッド（８８）を含むスタッド（８６）により形成される、
ことを特徴とする請求項１または２に記載のクラウン。
【請求項４】
前記スタッド（８６）のヘッド（８８）が円錐形である、
ことを特徴とする請求項３に記載のクラウン。
【請求項５】
前記スタッド（８６）のヘッド（８８）が足部（９４）により延長される、
ことを特徴とする請求項１〜４の何れかに記載のクラウン。
【請求項６】
前記スタッド（８６）の足部（９４）は、前記パイプ（６２）のヘッド（６６）上に取り付けられた突出部分（６８）の内部に自由に案内される、
ことを特徴とする請求項２〜４の何れかに記載された場合の請求項５に記載のクラウン。
【発明の詳細な説明】
【技術分野】
【０００１】
本発明は、時計用の巻上げクラウンに関する。より具体的には、本発明は、二次的又は寄生的抵抗トルクから保護される、このタイプのクラウンに関する。
【背景技術】
【０００２】
前述のタイプの時計のクラウンは、本出願人の欧州特許公開第１５８６９６０号から周知である。このクラウンを図１に断面で示す。参照符号１によって全体を示すこのクラウンは、回転対称軸Ｘ１を有し、分離機構の種々の要素を収容する凹部を定めるように中空である。これらの要素は、特に、その寸法がクラウン１の中空の内部凹部のものに適合され、一方の側が底部４で閉鎖された中空の支持要素２を含む。
【０００３】
次に、中空の支持要素２の底部４に対しての配置を意図した２つの同一のバネ６がある。バネ６は両方とも板バネである。各バネには、その形状がほぼ正方形に近く、且つクラウン１の全体の対称軸Ｘ１に中心を持つ、同じく実質的に正方形の穴１０を開けられた中央基部８が含まれる。４つの弾性的に変形可能なアーム１２が、２つのバネ６それぞれの中央基部８から延びる。
【０００４】
この組立は、その第１の端部が時計のムーブメントの中心の方向を指し、巻真（図示せず）を受けるためのものである、ほぼ円筒形のパイプ１４により完成する。パイプ１４は、円筒形の主要部１６を含み、この主要部１６の上には、直径が主要部１６の直径よりも大きいディスク形のヘッド１８が取り付けられる。ヘッド１８上には、その横断方向の寸法が主要部１６のものよりも小さく、ヘッド１８の表面から突出する部分２０が取り付けられている。この突出部分２０は、クラウン１の対称軸Ｘ１上に中心があり、且つ該突出部分２０がこれと協働するように意図されたバネ６の穴１０の形状に対し補完的な正方形の輪郭を有する。
【０００５】
この組立には、さらに、その中央開口部がパイプ１４のヘッド１８の直径よりも大きい直径を有するリング又はワッシャの形態の剛性要素２２が設けられる。この剛性リング２２は、バネ６の弾性アーム１２と協働するように意図される複数のノッチ２４を有する。剛性リング２２は、ノッチ２４がバネ６のアーム１２に面するように、中空要素２の底部４に対して配置される。
【０００６】
剛性リング２２及びパイプ１４を支持するために付加的なワッシャ２６が設けられる。このために、ワッシャ２６は、パイプ１４のヘッド１８の直径よりも内径が大きく、且つ剛性リング２２の直径と外径が実質的に等しい環状肩部２８を有する。ワッシャ２６の環状肩部２８の高さは、パイプ１４のヘッド１８の厚さと等しいか又はこれよりも大きくなるように選択され、これにより肩部１８がスペーサ又はストラットの役割を果たすことが可能になる。ワッシャ２６は、その直径がパイプ１４の主要部１６の直径に適合された中央開口部３０を更に含む。
【０００７】
残りの要素の唯一の目的は、クラウン１を閉鎖して、シールを確実にし、これらが上述の分離機構にどのような役割も果たさないようにすることである。従って、以下の要素、すなわち、その外径が支持要素２の内径と実質的に等しい直径縮小ワッシャ３２と、静止状態での外径が支持要素２の内径よりも実質的に大きい環状Ｏリング接合部３４とが、順次取り付けられる。次いで、クラウン１の内部凹部を閉鎖するために平ワッシャ３６が設けられる。
【０００８】
最後に、管体３８が、平ワッシャ３６、シールガスケット３４及び直径縮小ワッシャ３２を通過し、パイプ１４の主要部１６に固定される。外径がＯリング接合部３４の内径よりも実質的に大きいこの管体３８の機能は、クラウン１を腕時計ケースの中間部上に取り付けるのを可能にすることである。
【０００９】
ユーザによるクラウン１の取扱いを容易にするために、クラウン１は、その外面上に複数の溝を有する。上記から明らかであるように、クラウン１は、分離機構を収容する中空の内部凹部の境界を定める。この分離機構は、本質的には剛性リング２２を含み、該リングは、１つ又は幾つかのほぼ円形のバネ要素６と協働して分離機能を実行するように意図された複数のノッチ２４をその外周上に含む。ノッチ付きリング２２は、クラウン１と一体化され、バネ要素６はパイプ１４に固定され、これに主ゼンマイの巻上げ機構に作用する巻真がネジ止めされる。バネ要素６により与えられる抵抗トルクが所定値よりも小さい場合、ユーザによりクラウン１を作動させた結果として、前述の要素は剛性リング２２により回転駆動される。次いで、バネ要素６は、これらが取り付けられているパイプ１４を駆動し、ひいては巻真を駆動させる。主ゼンマイが完全に巻き上げられることに起因してバネ要素６により与えられる抵抗トルクが所定値よりも大きくなると、前述のバネ要素６は、剛性リング２２の作動に応答して弾性的に変形し、そこから離れるように摺動する。結果として、ユーザにより作動されたときにクラウン１は空回りする。従って、主ゼンマイは、該主ゼンマイに損傷をもたらし得るどのような過度の巻上げからも保護される。
【００１０】
パイプ１４の上端部は、例えば正方形の突出部分２０を有し、これがバネ６内に形成された正方形の穴に入り、且つこれを介してバネ６がパイプ１４に固定される。従って、回転運動がバネ６に与えられると、該バネ６は、その突出部分２０を介してパイプ１４を回転駆動させる。
【００１１】
使用時には、上述のクラウンは問題を引き起こす。実際には、図１を調べると理解できるように、圧力がクラウン１に加えられたときにバネ要素６の重なり内で一番上のバネ要素が支持要素２の底部４に当接するのを防ぐものはない。バネ要素６と支持要素２の底部４との間のこの表面接触により二次トルク又は寄生トルクが生成され、このトルクは、バネ要素６により与えられる抵抗トルクは所定の閾値よりも大きくなり、且つ、上述のバネ要素６が、剛性リング２２の作動に応答して弾性的に変形してそこから離れスライドすることになる時点が、上記トルクによって遅延させられる。言い換えれば、主ゼンマイの切断が巻き上げ後に生じて、腕時計のムーブメントの損傷という深刻なリスクが生じる可能性がある。
【００１２】
底部に当接するらせん状のバネ要素を内部容積に収容するクラウンの場合も考えることが可能である。このクラウンが押し付けられて回転されると、バネ要素とクラウンの底部との間の接触より、ユーザが感じ得る摩擦力が生じ、ユーザに対して機構が低品質であるという印象を与える。
【先行技術文献】
【特許文献】
【００１３】
【特許文献１】ＥＰ１５８６９６０Ａ１
【発明の概要】
【発明が解決しようとする課題】
【００１４】
本発明の目的は、二次摩擦も受けず、且つ時計のムーブメント、特に主ゼンマイを保護する巻上げクラウンを提供することによってこれらの問題を克服することである。
【課題を解決するための手段】
【００１５】
従って、本発明は、腕時計のクラウンに関し、このクラウンは、底部と、少なくとも１つの弾性的に変形可能な要素を収容する内部容積の境界を定めるスカートとを含む時計用の巻上げクラウンであって、弾性的に変形可能な要素とクラウンの底部との間に停止部材が挿入されて、該弾性的に変形可能な要素と該底部との間の表面接触を防止することを特徴とする。
【００１６】
これらの特徴に起因して、本発明は、クラウンの底部と弾性的に変形可能な要素との間に停止部材が挿入された時計用クラウンを提供する。この停止部材は、クラウンが時計のムーブメントの中心の方向に軸方向に押し付けられたときに、弾性的に変形可能な要素がクラウンの底部の表面と接触することを防ぐ。従って、二次トルクを受けることから回避され、これにより、動作が改善され、時計のムーブメント、特に主ゼンマイを有効に保護するクラウンが提供される。
【００１７】
停止部材とクラウンの底部との間の接触面は、弾性的に変形可能な要素と該底部との間の接触面よりも小さいので、停止部材により生じる二次トルクは、弾性要素により生じる二次ルクよりも実質的に小さいことは明らかであろう。
【００１８】
本発明の補足的な特徴によると、停止部材は、クラウンの底部に形成された凹部内に部分的に収容され、バネとクラウンの底部との間の空間を定める高さだけ該凹部から突出するヘッドを有するスタッドにより形成される。
【００１９】
本発明の別の特徴によると、スタッドのヘッドは円錐形である。スタッドヘッドの円錐形状はまた、スタッドとクラウンの底部との間の接触面の減少をもたらし、結果的に、これらの２つの部品間の摩擦力を制限する。
【００２０】
本発明の他の特徴及び利点は、本発明による時計用の巻上げクラウンの実施形態の以下の詳細な説明においてより明らかになり、この実施例は、添付図面を参照して非限定的な例証としてのみ与えられるものである。
【図面の簡単な説明】
【００２１】
【図１】上述の従来技術による時計用の巻上げクラウンの断面図である。
【図２】本発明による時計用の巻上げクラウンの断面図である。
【発明を実施するための形態】
【００２２】
本発明は、時計の巻上げクラウンのための分離機構において、弾性的に変形可能な要素とクラウンの底部との間に障害物を挿入し、これらの２つの要素間のあらゆる表面接触を防ぐことにある一般的な発明の創意に由来する。従って、クラウンが腕時計のムーブメントの中心方向に軸方向に押し付けられたときにいかなる二次トルクも防止され、これは、腕時計のムーブメント、特に主ゼンマイを保護するために弾性的に変形可能な要素が剛性駆動リングから逃れる時点を変更する必要がないことを意味する。
【００２３】
参照符号４０により全体として示される本発明による巻上げクラウンは、図１を参照して上述されたものと極めて類似した構造を有する。このクラウンの完全な説明については、引用により本明細書に組み入れられる本出願人名義の欧州特許公開第１５８６９６０号を参照することができる。本発明による巻上げクラウン４０は、回転対称軸Ｘ２上に中心があり、底部４２と、分離機構４６を収容する内部容積の境界を定めるスカート４４とを含む。このスカート４４の外周面は、ユーザによるクラウン４０の取扱いを容易にする溝４８を有する。
【００２４】
次に、クラウン４０の底部４２側に配置されるように意図された３つの同一の重ね合わせたバネ５０がある。これらのバネ５０は板バネである。厚さがより薄いバネの方が機械加工及びその弾性特性の制御が容易になる理由から、３つの重ね合わせバネの厚さの合計と同じ厚さを有する単一のバネではなく、３つの同一のバネが設けられる。
【００２５】
図１を参照して上述した従来例におけるように、３つのバネ５０の各々は、その形状が正方形に概ね近く、且つクラウン４０の全体的な対称軸Ｘ２上に中心がある実質的に正方形の穴５４が開けられた中央基部５２を含む。４つの弾性的に変形可能なアーム５６が３つのバネ５０の各々の中央基部５２から延びる。これらのアーム５６は、その外径の境界がスカート４４により定められる容積の内径に適合された剛性リング形要素６０のノッチ５８と協働するように意図される。剛性リング６０は、ノッチ５８がバネ５０のアーム５６に面するようにクラウン４０の底部４２に対して配置される。
【００２６】
この組み立ては、その第１の端部が時計のムーブメントの中心方向を指し、巻真（図示せず）を受けるように意図されたほぼ円筒形のパイプ６２により完成する。パイプ６２は、円筒形の主要部６４を含み、この主要部６４の上に直径が主要部６４の直径よりも大きいディスク形状のヘッド６６が取り付けられている。このヘッド６６上に、横断方向の寸法が主要部６４のものより小さく且つヘッド６６の表面から突出する部分６８が取り付けられている。この突出部分６８は、クラウン４０の対称軸Ｘ２上に中心があり、且つこの突出部分６８が協働するように意図されたバネ５０内の穴５４に対して補完的な正方形の形状を有する。このために、突出部分６８は３つのバネ５０の厚さを合わせた厚さよりも僅かに高い。
【００２７】
ノッチ付きリング６０及びパイプ６２を支持するためにブッシュ７０が設けられる。従って、ブッシュ７０は、パイプ６２のヘッド６６の直径よりも小さい内径と、ノッチ付きりリング６０の直径と実質的に等しい外径の環状肩部７２とを有する。ブッシュ７０の環状肩部７２の高さは、パイプ６２のヘッド６６の厚さと等しいか又はこれよりも厚くなるように選択され、これにより肩部２８がスペーサ又はストラットの役割を果たすことがでいる。ブッシュ７０は、その直径がパイプ６２の主要部６４に固定された管体７６の直径に適合された中央開口部７４を更に含み、その機能は、クラウン４０を腕時計のケースの中間部上に取り付けるのを可能にすることである。
【００２８】
最後に、第１の円形溝７８及び第２の円形溝８０がブッシュ７０内に形成され、その各々が、それぞれＯリング接合部８２及び８４を受ける。第１の接合部８２は、クラウン４０のスカート４４とブッシュ７０との間のシールを確実にし、第２の接合部８４は、ブッシュ７０と管体７６との間のシールを確実にする。
【００２９】
本発明によれば、クラウン４０の底部４２と、重なった３つのバネ５０の中で一番上のバネとの間には、バネ５０がクラウン４０の底部４２と接触するのを防止するためのシム又は停止部材の役割を果たすスタッド８６が挿入される。従って、スタッド８６は、クラウン４０の底部４２内に形成された凹部９０に部分的に収容されたヘッド８８を有し、そのヘッドの直径はバネ５０内の穴５４の寸法よりも大きい。スタッド８６のヘッド８８は、ノッチ付きリング６０が当接する肩部９２の高さ位置よりも低いか又はこれと等しい高さで凹部９０から突出する。スタッド８６のヘッド８８は、パイプ６２のヘッド６６上に取り付けられた突出部分６８内に自由に案内される足部９４により延長されている。スタッド８６のヘッド８８とクラウン４０の底部４２との間の接触面は、バネ５６と底部４２との間の接触面よりも小さく、その結果、スタッド８６により生じる二次トルクは、バネ５６により生じる二次トルクよりも実質的に小さくなることは明らかであろう。更に、スタッド８６のヘッド８８の円錐形状は、スタッド８８とクラウン４０の底部４２との間の接触面の減少をもたらし、結果としてこれらの２つの部品間の摩擦力が制限される。
【００３０】
本発明は、上記で説明した実施形態に限定されるものではなく、添付の特許請求の範囲により定められる本発明の範囲から逸脱することなく、当業者により種々の単純な変更及び変形態様を想定できることは当然である。特に、本出願人名義の欧州特許出願第２  ０５８  ７１３号及び第２  ０５８  ７１４号に記載される実施形態において、バネの積み重ねにおいて一番上のバネは、クラウンの内部容積に設けられた肩部に接して環状面に沿って当接する点に留意されたい。制限された環状面に沿ったこの当接は、どのような有意な方法においてもクラウン内に収容される分離機構の動作を妨げる傾向があるトルクを発生することはない。底部に当接するらせん状のバネ要素を内部容積に収容するクラウンの場合も考えることが可能である。このクラウンが押し付けられて回転されると、バネ要素とクラウンの底部との間の接触によってユーザが感じ得る摩擦力が生じ、機構が低品質であるという印象をユーザに与える。
【符号の説明】
【００３１】
１、４０  クラウン；  ２  中空支持要素；  ４、４２  底部；  ６、５０  バネ；  
８、５２  中央基部；  １０、５４  穴；  １２、５６  アーム；  
１４、６２  パイプ；  １６、６４  主要部；  １８、６６  パイプのヘッド；  
２０、６８  突出部分；  ２２、６０  剛性リング；  ２４、５８  ノッチ；  
２６  付加的なワッシャ；  ２８、７２  環状肩部；  ３０、７４  中央開口部；  
３２  径違いワッシャ；  ３４、８２、８４  Ｏリング接合部；  ３６  平ワッシャ；  
３８、７６  管；  ４８、７８、８０  溝；  ７０  ブッシュ；  ８６  スタッド；  
８８  スタッドのヘッド；  ９０  凹部；  ９４  足部；  Ｘ１、Ｘ２  対称回転軸。
【図１】
2011197003.tif 000003
【図２】
2011197003.tif 000004